(57)【要約】【課題】最下段引出し収納部のフロントパネルが一体感のある連続したフォルムを実現し且つ清掃性を高めるような全体形状を有し、さらにフロントパネルの後方領域の有効利用が可能なシステムキッチン。【解決手段】最下段引出し収納部のフロントパネル（４１）は、その下端からほぼ鉛直方向に沿って上方へ延びる第１パネル領域（４１ａ）と、その上端から前方に向かって斜め上方へ延びる第２パネル領域（４１ｂ）と、その上端からほぼ鉛直方向に沿って上方へ延びる第３パネル領域（４１ｃ）とを有する。フロントパネルの後方に隣接して取り付けられるバックパネル（４２）は、その下端から第２パネル領域の上端よりも所定距離だけ上方までほぼ鉛直方向に沿って延びる第４パネル領域（４２ａ）と、第４パネル領域から第２パネル領域の上端近傍までほぼ水平方向に沿って延びる第５パネル領域（４２ｂ）とを有する。【選択図】  図５
2004290508.tif 000002
【特許請求の範囲】
【請求項１】
床に隣接して最下段に設けられた引出し収納部を備えたシステムキッチンにおいて、
前記引出し収納部のフロントパネルは、該フロントパネルの下端からほぼ鉛直方向に沿って上方へ延びる第１パネル領域と、該第１パネル領域の上端から前方に向かって斜め上方へ延びる第２パネル領域と、該第２パネル領域の上端からほぼ鉛直方向に沿って上方へ延びる第３パネル領域とを有し、
前記フロントパネルの後方に隣接して取り付けられるバックパネルは、該バックパネルの下端から前記第２パネル領域の上端よりも所定距離だけ上方までほぼ鉛直方向に沿って延びる第４パネル領域と、該第４パネル領域から前記第２パネル領域の上端近傍までほぼ水平方向に沿って延びる第５パネル領域とを有することを特徴とするシステムキッチン。
【請求項２】
前記バックパネルは、前記第５パネル領域の前方端から前記第２パネル領域とほぼ平行に前記第４パネル領域まで延びる第６パネル領域をさらに有することを特徴とする請求項１に記載のシステムキッチン。
【発明の詳細な説明】
【０００１】
【発明の属する技術分野】
本発明は、システムキッチンに関し、特に床に隣接して最下段に設けられた引出し収納部を備えたシステムキッチンに関するものである。
【０００２】
【従来の技術】
従来、床に隣接して最下段に設けられた引出し収納部（以下、「最下段引出し収納部」という）を備えたタイプのシステムキッチンが知られている。このタイプのシステムキッチンでは、システムキッチンとの間に適切な間隔を確保して作業し易いように、人の足先を収容するための蹴込み部が最下段引出し収納部のフロントパネルに形成されている。
【０００３】
図６は、従来技術にしたがって最下段引出し収納部のフロントパネルに形成される蹴込み部を模式的に示す図である。図６を参照すると、従来の最下段引出し収納部のフロントパネル６０は、鉛直方向に延びる２つのパネル領域６０ａおよび６０ｂと、第１パネル領域６０ａの下端と第２パネル領域６０ｂの上端とを水平に連結する第３パネル領域６０ｃとにより構成されている。また、フロントパネル６０の後方に隣接して取り付けられるバックパネル６１は、第３パネル領域６０ｃよりも所定距離だけ上方まで鉛直方向に延びている。
【０００４】
こうして、第２パネル領域６０ｂと第３パネル領域６０ｃとにより規定される領域、すなわち図６中破線で示す楕円形状の領域６２が、人の足先を収容するための蹴込み部を形成する。また、第１パネル領域６０ａと第３パネル領域６０ｃとバックパネル６１の上方部分とにより規定される領域、すなわち図６中破線で示す楕円形状の領域６３が、必要に応じて様々な物品を収納するためのポケット収納部を構成する。
【０００５】
【発明が解決しようとする課題】
しかしながら、従来技術では、第１パネル領域６０ａから第３パネル領域６０ｃへ水平に奥まっているので、最下段引出し収納部の上方に配置されたキャビネットから最下段引出し収納部の下端まで一体感のある連続したフォルムを実現することができない。また、第１パネル領域６０ａから第３パネル領域６０ｃへ水平に奥まっているので、通常の姿勢で第３パネル領域６０ｃの汚れを見つけることが困難であり、ひいては第３パネル領域６０ｃを清掃することが困難である。
【０００６】
そこで、一体感のある連続したフォルムを実現するとともに清掃性を高めるためにフロントパネル６０の全体形状を変更することも考えられる。しかしながら、フロントパネル６０の全体形状を単に変更すると、ポケット収納部６３の形成が困難になり、ひいてはフロントパネル６０の後方領域の有効利用が困難になるという不都合があった。
【０００７】
本発明は、前述の課題に鑑みてなされたものであり、最下段引出し収納部のフロントパネルが一体感のある連続したフォルムを実現し且つ清掃性を高めるような全体形状を有し、さらにフロントパネルの後方領域の有効利用が可能なシステムキッチンを提供することを目的とする。
【０００８】
【課題を解決するための手段】
前記課題を解決するために、本発明では、床に隣接して最下段に設けられた引出し収納部を備えたシステムキッチンにおいて、
前記引出し収納部のフロントパネルは、該フロントパネルの下端からほぼ鉛直方向に沿って上方へ延びる第１パネル領域と、該第１パネル領域の上端から前方に向かって斜め上方へ延びる第２パネル領域と、該第２パネル領域の上端からほぼ鉛直方向に沿って上方へ延びる第３パネル領域とを有し、
前記フロントパネルの後方に隣接して取り付けられるバックパネルは、該バックパネルの下端から前記第２パネル領域の上端よりも所定距離だけ上方までほぼ鉛直方向に沿って延びる第４パネル領域と、該第４パネル領域から前記第２パネル領域の上端近傍までほぼ水平方向に沿って延びる第５パネル領域とを有することを特徴とするシステムキッチンを提供する。
【０００９】
本発明の好ましい態様によれば、前記バックパネルは、前記第５パネル領域の前方端から前記第２パネル領域とほぼ平行に前記第４パネル領域まで延びる第６パネル領域をさらに有する。
【００１０】
【発明の実施の形態】
本発明のシステムキッチンでは、最下段引出し収納部のフロントパネルが、ほぼ鉛直方向に延びる第１パネル領域および第３パネル領域と、第１パネル領域の上端から第３パネル領域の下端まで前方に向かって斜め上方へ延びる第２パネル領域とを有する。そして、フロントパネルの後方に隣接して取り付けられるバックパネルは、フロントパネルの第２パネル領域の上端よりも上方までほぼ鉛直方向に延びる第４パネル領域と、第４パネル領域から第２パネル領域の上端近傍までほぼ水平方向に延びる第５パネル領域とを有する。
【００１１】
以上のように、本発明では、フロントパネルにおいて第２パネル領域が第１パネル領域の上端から第３パネル領域の下端まで斜め上方へ延びているので、第１パネル領域と第２パネル領域とにより規定される領域に人の足先を収容するための蹴込み部を形成しつつ、最下段引出し収納部の上方に配置されたキャビネットから最下段引出し収納部の下端まで一体感のある連続したフォルムを実現することができるとともに、通常の姿勢で第２パネル領域の汚れを見つけることが容易になり、ひいては第２パネル領域を清掃することが容易になる。
【００１２】
また、本発明では、バックパネルにおいて第５パネル領域が第４パネル領域からフロントパネルの第２パネル領域の上端近傍までほぼ水平方向に延びているので、第３パネル領域と第５パネル領域と第４パネル領域の上方部分とにより規定される領域にポケット収納部を形成することができ、ひいてはフロントパネルの後方領域の有効利用が可能になる。以上のように、本発明では、最下段引出し収納部のフロントパネルが一体感のある連続したフォルムを実現し且つ清掃性を高めるような全体形状を有し、さらにフロントパネルの後方領域の有効利用が可能である。
【００１３】
なお、本発明では、バックパネルにおいて、第５パネル領域の前方端からフロントパネルの第２パネル領域とほぼ平行に第４パネル領域まで延びる第６パネル領域を有することが好ましい。この構成により、フロントパネルの第２パネル領域の下端部分および第１パネル領域の上端部分とバックパネルの第４パネル領域との間に形成される狭い領域にゴミが溜まるのを回避することができ、ひいては最下段引出し収納部の内部において清潔な環境を保持することができる。
【００１４】
本発明の実施形態を、添付図面に基づいて説明する。
図１は、本発明の実施形態にかかるシステムキッチンの構成を概略的に示す斜視図である。また、図２は、図１のシステムキッチンにおいて各収納部分が開いた様子を示す斜視図である。さらに、図３は、シンクキャビネットの下方において最下段に設けられた最下段引出し収納部の構成を概略的に示す斜視図である。
【００１５】
図１および図２を参照すると、本実施形態のシステムキッチンＳは、床Ｆの上に載置されたベースキャビネット１を備えている。ベースキャビネット１の上部には、システムキッチンＳに向かって左側からガスコンロ（または電気コンロ）２と、一対のカウンタ３ａおよび３ｂとが設けられ、この一対のカウンタ３ａと３ｂとの間にはシンク４が形成されている。また、シンク４に隣接して、たとえば湯水混合型の水栓（不図示）が設けられている。
【００１６】
ベースキャビネット１は、４つのキャビネット１１〜１４と、その下方において床Ｆに隣接して最下段にそれぞれ設けられた４つの引出し収納部１５〜１８とを備えている。すなわち、ガスコンロ２の下方にはキャビネット１１が、ガスコンロ２とシンク４との間の第１カウンタ３ａの下方にはキャビネット１２が、シンク４の下方にはシンクキャビネット１３が、シンク４よりも端部側の第２カウンタ３ｂの下方にはキャビネット１４がそれぞれ設けられている。
【００１７】
また、キャビネット１１の下方には最下段引出し収納部１５が設けられ、キャビネット１２の下方には最下段引出し収納部１６が設けられている。さらに、シンクキャビネット１３の下方には最下段引出し収納部１７が設けられ、キャビネット１４の下方には最下段引出し収納部１８が設けられている。
【００１８】
各最下段引出し収納部１５〜１８は、図３に示すように、フロントパネル１５ａ〜１８ａと、フロントパネル１５ａ〜１８ａの後方に隣接して取り付けられたバックパネル（図３では不図示）と、フロントパネル１５ａ〜１８ａの両端に取り付けられたサイドキャップ１５ｂ〜１８ｂおよび１５ｃ〜１８ｃとによりそれぞれ構成されている。
【００１９】
図４は、各最下段引出し収納部を構成するフロントパネルおよびバックパネルの構成を概略的に示す図である。また、図５は、図４のフロントパネルにバックパネルおよびサイドキャップが取り付けられた状態を示す図である。図４（ａ）に示すように、本実施形態の各最下段引出し収納部を構成するフロントパネル４１（図３の１５ａ〜１８ａに対応）は、その下端からほぼ鉛直方向に沿って上方へ延びる第１パネル領域４１ａと、第１パネル領域４１ａの上端から前方（図４では左側）に向かって斜め上方へ延びる第２パネル領域４１ｂと、第２パネル領域４１ｂの上端からほぼ鉛直方向に沿って上方へ延びる第３パネル領域４１ｃとを有する。
【００２０】
一方、図４（ｂ）に示すように、フロントパネル４１の後方に隣接して取り付けられるバックパネル４２は、その下端からフロントパネル４１の第２パネル領域４１ｂの上端よりも所定距離だけ上方までほぼ鉛直方向に沿って延びる第４パネル領域４２ａと、第４パネル領域４２ａからフロントパネル４１の第２パネル領域４１ｂの上端近傍までほぼ水平方向に沿って延びる第５パネル領域４２ｂと、第５パネル領域４２ｃの前方端（図４では左端）からフロントパネル４１の第２パネル領域４１ｂとほぼ平行に第４パネル領域４２ａまで延びる第６パネル領域４２ｃとを有する。
【００２１】
図５を参照すると、フロントパネル４１の後方に隣接してバックパネル４２を取り付け、さらにフロントパネル４１およびバックパネル４２の両端にサイドキャップ４３（図３の１５ｂ〜１８ｂおよび１５ｃ〜１８ｃに対応）を取り付けた状態では、フロントパネル４１において第２パネル領域４１ｂが第１パネル領域４１ａの上端から第３パネル領域４１ｃの下端まで斜め上方へ延びているので、第１パネル領域４１ａと第２パネル領域４１ｂとにより規定される領域、すなわち図５中破線で示す楕円形状の領域４４に、人の足先を収容するための蹴込み部が形成される。
【００２２】
また、第２パネル領域４１ｂが第１パネル領域４１ａの上端から第３パネル領域４１ｃの下端まで水平ではなく斜め上方へ延びているので、各最下段引出し収納部１５〜１８の上方に配置された各キャビネット１１〜１４から最下段引出し収納部１５〜１８の下端まで一体感のある連続したフォルムを実現することができる。加えて、通常の姿勢でフロントパネル４１の第２パネル領域４１ｂの汚れを見つけることが容易であり、ひいては第２パネル領域４１ｂを清掃することが容易である。
【００２３】
また、バックパネル４２において第５パネル領域４２ｂが第４パネル領域４２ａからフロントパネル４１の第２パネル領域４１ｂの上端近傍までほぼ水平方向に延びているので、フロントパネル４１の第３パネル領域４１ｃと第５パネル領域４２ｂと第４パネル領域４２ａの上方部分とにより規定される領域、すなわち図５中破線で示す楕円形状の領域４５にポケット収納部を形成することができ、ひいてはフロントパネル４１の後方領域の有効利用が可能になる。
【００２４】
また、バックパネル４２において、第６パネル領域４２ｃが第５パネル領域４２ｂの前方端からフロントパネル４１の第２パネル領域４１ｂとほぼ平行に第４パネル領域４２ａまで延びているので、フロントパネル４１の第２パネル領域４１ｂの下端部分および第１パネル領域４１ａの上端部分とバックパネル４２の第４パネル領域４２ａとの間に形成される狭い領域４６に様々なゴミが溜まるのを回避することができ、ひいては各最下段引出し収納部１５〜１８の内部において清潔な環境を保持することができる。
【００２５】
本実施形態では、たとえばステンレス鋼を用いてフロントパネル４１を形成することができる。また、たとえばアルミニウムの押出し成型によりバックパネル４２を形成することができる。また、たとえばＡＢＳ樹脂やアルミニウムの鍛造によりサイドキャップ４３を形成することができる。以上のように、本実施形態のシステムキッチンＳでは、各最下段引出し収納部のフロントパネルが一体感のある連続したフォルムを実現し且つ清掃性を高めるような全体形状を有し、さらにフロントパネルの後方領域の有効利用が可能である。
【００２６】
なお、上述の実施形態では、各最下段引出し収納部を構成するフロントパネルおよびバックパネルの全体形状について図４および図５に示すような具体的な形状を例示している。しかしながら、これに限定されることなく、フロントパネルおよびバックパネルの全体形状については、本発明の範囲内において様々な変形例が可能である。
【００２７】
【発明の効果】
以上説明したように、本発明のシステムキッチンでは、各最下段引出し収納部のフロントパネルにおいて第２パネル領域が第１パネル領域の上端から第３パネル領域の下端まで斜め上方へ延びているので、第１パネル領域と第２パネル領域とにより規定される領域に蹴込み部を形成しつつ、キャビネットから最下段引出し収納部の下端まで一体感のある連続したフォルムを実現することができるとともに、通常の姿勢で第２パネル領域の汚れを見つけることが容易になり、ひいては第２パネル領域を清掃することが容易になる。
【００２８】
また、本発明では、バックパネルにおいて第５パネル領域が第４パネル領域からフロントパネルの第２パネル領域の上端近傍までほぼ水平方向に延びているので、第３パネル領域と第５パネル領域と第４パネル領域の上方部分とにより規定される領域にポケット収納部を形成することができ、ひいてはフロントパネルの後方領域の有効利用が可能になる。
【００２９】
また、本発明では、バックパネルが第５パネル領域の前方端からフロントパネルの第２パネル領域とほぼ平行に第４パネル領域まで延びる第６パネル領域を有する構成を採用することにより、フロントパネルの第２パネル領域の下端部分および第２パネル領域の上端部分とバックパネルの第４パネル領域との間に形成される狭い領域にゴミが溜まるのを回避することができ、ひいては最下段引出し収納部の内部において清潔な環境を保持することができる。
【図面の簡単な説明】
【図１】本発明の実施形態にかかるシステムキッチンの構成を概略的に示す斜視図である。
【図２】図１のシステムキッチンにおいて各収納部分が開いた様子を示す斜視図である。
【図３】シンクキャビネットの下方において最下段に設けられた最下段引出し収納部の構成を概略的に示す斜視図である。
【図４】各最下段引出し収納部を構成するフロントパネルおよびバックパネルの構成を概略的に示す図である。
【図５】図４のフロントパネルにバックパネルおよびサイドキャップが取り付けられた状態を示す図である。
【図６】従来技術にしたがって最下段引出し収納部のフロントパネルに形成される蹴込み部を模式的に示す図である。
【符号の説明】
Ｓ  システムキッチン
１  ベースキャビネット
２  ガスコンロ（または電気コンロ）
３  カウンタ
４  シンク
１１〜１４  キャビネット
１５〜１８  最下段引出し収納部
１５ａ，１６ａ，１７ａ，１８ａ  フロントパネル
１５ｂ，１６ｂ，１７ｂ，１８ｂ  サイドキャップ
１５ｃ，１６ｃ，１７ｃ，１８ｃ  サイドキャップ
４１  フロントパネル
４２  バックパネル
４３  サイドキャップ
４４  蹴込み部
４５  ポケット収納部
【図１】
2004290508.tif 000003
【図２】
2004290508.tif 000004
【図３】
2004290508.tif 000005
【図４】
2004290508.tif 000006
【図５】
2004290508.tif 000007
【図６】
2004290508.tif 000008